(57)【特許請求の範囲】
【請求項１】
搬送装置に保持された本の本体たる紙葉ブロックの糊付けされた背部に、前記搬送装置とは別のコンベヤにより所定のタイミングで送られる表紙を付着する装置において、表紙が紙葉ブロックに付着される前に紙葉ブロックの背部に付着される表紙の部分に短冊状のシ−ト片たる支持片を付着する支持片設置装置を含み、前記支持片設置装置は前記コンベヤの上に搬送面が傾斜して設けられ且つ前記支持片を支持すると共に爪で押して移動する爪付コンベヤと、表紙の上に前記支持片が重ねられる前に前記コンベヤ上の表紙に接着剤を付ける糊付装置を含むことを特徴とする本の紙葉ブロックへの表紙付け装置。
【請求項２】
前記支持片は所定長さに切断されたテ−プ片からなることを特徴とする請求項１に記載の装置。
【請求項３】
前記支持片設置装置にはさらに、接着剤を付けられた表紙とその上に重ねられた前記支持片とを挾圧するピンチロ−ラを含むことを特徴とする請求項１に記載の装置。
【請求項４】
前記爪付コンベヤには前記支持片を支持するスライドテ−ブルが設けられ、前記スライドテ−ブルには前記支持片の両側を案内するガイド及び前記支持片の長手方向が真っ直な状態で送られるように前記支持片を保持する手段が備えられていることを特徴とする請求項１に記載の装置。
【請求項５】
搬送装置に保持された本の本体たる紙葉ブロックの糊付けされた背部に、前記搬送装置とは別のコンベヤにより所定のタイミングで送られる表紙を付着する装置において、表紙が紙葉ブロックに付着される前に紙葉ブロックの背部に付着される表紙の部分に短冊状のシ−ト片たる支持片を付着する支持片設置装置を含み、前記支持片設置装置は表紙の上に前記支持片を重ねるため外周面で支持片を吸引し且つ前記支持片を介して前記コンベヤ上の表紙に接する回転ドラムと、表紙の上に前記支持片が重ねられる前に前記コンベヤ上の表紙に接着剤を付ける糊付装置を含むことを特徴とする本の紙葉ブロックへの表紙付け装置。
【請求項６】
前記支持片は所定長さのテ−プ片からなり、さらにリ−ルから巻き出されるテ−プを所定長さに切断するカッタ−と、前記リ−ルからテ−プを巻き出して前記カッタ−を通して前記ドラムに送るピンチロ−ラを有するテ−プガイドとを含むことを特徴とする請求項５に記載の装置。
【請求項７】
表紙に紙葉ブロックが付着される前又は後に表紙に筋入れを行なう筋入れ装置が設置されていることを特徴とする請求項１又は請求項５に記載の装置。
【発明の詳細な説明】
【０００１】
【発明の属する技術分野】
本発明は書籍等の本の本体たる紙葉ブロック、即ち表紙が付けられる前の状態の無表紙本、の背部と表紙との間に短冊状の支持片が介在する本の製本装置に関し、特に該紙葉ブロックに支持片付き表紙を付着するための装置に関する。
【０００２】
【従来の技術】
従来、本の無理な開きを防ぎ且つ本の開きを容易にするため、本の紙葉ブロックの綴じ側たる背部と表紙の間に短冊状の布片等からなる支持片を介在させ、本を開くと紙葉ブロックの背部は表紙から離れるように構成された。このような本の製作は、例えば特開昭５５−１５２０９５号公報、特公平４−２４２４０号公報等に見られるように、紙葉ブロックの背部に支持片を貼り付け、次いで該背部に表紙を付着することによってなされた。
【０００３】
とくに表紙の裏面の中央に、即ち紙葉ブロックの背部が取付けられる表紙の部分に支持片を付着した支持片付き表紙を用いる場合、従来はそのような支持片付き表紙は手作業を含む半自動ラインで製作された。例えば、コンベヤにより一定時間間隔で所定位置に、裏面を上側にして且つ支持片が置かれる所定位置にのり（接着剤）を付けられて送られてくる表紙に前端を揃えて支持片を手作業で重ねることによって作られた。それを紙葉ブロックの背部に付着したため、紙葉ブロックに表紙を付着する製本装置のほかに、支持片付き表紙を製作するラインを要したため、以下に記載するような問題点があった。
【０００４】
【発明が解決しようとする課題】
上記のように従来技術では、支持片付き表紙を用いる場合には該表紙を作成するために手作業によって表紙の上に支持片が重ねられたため、それらの前端又は後端を正確に揃えるのが容易でなく且つ仕上りにばらつきがあり、人手を要する上、作業能率上問題があり、製本作業の高速化に適合し得ない。その上、もし表紙に支持片を正確に設置するのに失敗すれば素材が無駄になるという問題点があった。
【０００５】
さらに紙葉ブロックに表紙を糊付けする製本ラインとは別に、支持片付き表紙を作る半自動ラインを設ける必要があったため、装置の占有空間を比較的広く必要とし、設備コストが高くなり、コスト的にも不利になる等の問題点があった。
【０００６】
本発明の目的は上記従来技術の問題点を解消することであって、それ故、同じ製本ラインにおいて、紙葉ブロックに表紙が付着される前の段階で、自動的に表紙に支持片を付着して支持片付き表紙を作成するのを可能にし、製本の高速化にマッチし得る本の紙葉ブロックへの表紙付け装置を提供することである。
【０００７】
【課題を解決するための手段】
上記本発明の目的を達成するため、本発明による本の紙葉ブロックへの表紙付け装置は、搬送コンベヤに保持された紙葉ブロックの糊付けされた背部に、コンベヤにより紙葉ブロックに対し所定のタイミングで送られる表紙を付着する装置において、表紙が紙葉ブロックに付着される前に紙葉ブロックの背部に付着される表紙の部分に短冊状のシ−ト片たる支持片を付着する支持片設置装置を含み、該支持片設置装置は前記コンベヤの上に搬送面が傾斜して設けられ且つ支持片を支持すると共に爪で押して移動する爪付コンベヤと、表紙の上に前記支持片が重ねられる前に前記コンベヤ上の表紙に接着剤を付ける糊付装置を含むことを特徴とし、表紙の所定位置に支持片が該接着剤により付着された後にその支持片付き表紙が紙葉ブロックの背部に糊付けされるようになっている。
【０００８】
好ましくは、該支持片は所定長さに切断されたテ−プ片からなり、該支持片設置装置には、接着剤を付けられた表紙とその上に重ねられた支持片とを挾圧するピンチロ−ラを含む。また、好適な態様では、支持片設置装置の爪付コンベヤには支持片の両側を案内するガイド及び支持片の長手方向が真っ直ぐな状態で送られるように支持片を保持する手段を有し且つ支持片を支持するスライドテ−ブルが備えられる。さらに好ましくは、表紙に支持片が付着される前又は後に表紙に筋入れを行なうため前記コンベヤに接続して筋入れ装置が設置される。
【０００９】
本発明の他の態様では、前記支持片設置装置は外周面で支持片を吸引し且つ該支持片を介してコンベヤ上の表紙に接する回転ドラムと、表紙の上に該支持片が重ねられる前にコンベヤ上の表紙に接着剤を付ける糊付装置を含む。好ましくは支持片はテ−プ片からなり、さらにリ−ルから巻き出されるテ−プを所定長さに切断するカッタ−と、該リ−ルからテ−プを巻き出して前記カッタ−を通して前記ドラムに送るピンチロ−ラを有するテ−プガイドを含む。
【００１０】
【発明の実施の形態】
次に図面を参照のもとに本発明の実施形態を説明する。図１は本発明による紙葉ブロックへの表紙付け装置の好適な形態を全体的に例示するものであって、図示のように、この装置は基本的にはこのラインに沿って紙葉ブロックＡを移動する搬送装置１と、本の綴じ側となる紙葉ブロックの背部に糊付けを行なう糊付装置２と、表紙Ｂをラインに供給する表紙フィ−ダ３と、表紙を搬送するコンベヤ４と、短冊状の支持片Ｂ１をコンベヤ４上の表紙の上に送り且つ付着する支持片設置装置１０を含む。さらに必要により、ガリ入れ装置５、筋入れ装置６、バッキング装置７等が含まれる。図中、８は紙葉ブロックの挾持具（バインダ）であり、９は製本されたものの冷却、搬送用の装置である。
【００１１】
支持片Ｂ１は紙葉ブロックの背部と表紙の間に介在されるもので、短冊状に形成されたガ−ゼ、布、丈夫な紙、クレ−プ状帯などからなり、そして僅かに剛性を有する柔軟なテ−プで作られるのが好ましく、さらに好ましくは以下に記載するように、所定長さに切断されたテ−プ片で構成される。
【００１２】
搬送装置１は多くの場合、チェ−ンコンベヤで構成され且つ適当な間隔で挾持具８が備えられている。紙葉ブロックＡは図２に示すように、挾持具８で挾まれることにより搬送装置１に保持され、順次搬送される。紙葉ブロックＡは先ず、回転式のカッタ−などからなるガリ入れ装置５に送られ、そこで紙葉ブロックの背部に傷付けを行ない、次いで糊付装置２に送られてホットメルト糊などの糊が該背部に塗布される。糊付けされた紙葉ブロックは図２に示すように、コンベヤ４により所定のタイミングで送られる支持片付き表紙Ｂの上に、糊付けされた紙葉ブロックの背部が支持片Ｂ１に一致するように、付着される。
【００１３】
糊付装置２は図１に概略的に示すように、糊を入れた容器と糊付ロ−ラ２ａからなり、該糊付ロ−ラによって紙葉ブロックの背部及びその両側縁に糊付けするようになっている。また、表紙を搬送するコンベヤ４は表紙の後端を押す爪４ａを適当な間隔で備えたチェ−ンコンベヤからなり、その両側には表紙の両側縁をゆるく挾んで案内するガイド４ｂ、４ｃが設置される。コンベヤ４の適当な位置には表紙の存在を検出するセンサ−４ｄが在る。なお、コンベヤ４としてはスラットコンベヤなど、他の型のコンベヤであってもよい。
【００１４】
紙葉ブロックの背部に表紙が付着されるとバッキング装置７に搬送され、そこで表紙の上から背部及び該背部に近接する両側縁を形締めして成形する。次いでバインダから解放されて搬送装置９に移載され、そこで冷却された上、紙葉ブロックと表紙の所謂天、地、小口の３方が断裁され、製本として完成される。
【００１５】
これら一連の工程からなる製本ラインにおいて支持片設置装置１０以外の加工用の装置、即ち搬送装置１、糊付装置２、ガリ入れ装置５などは従来のものと同じものであってよい。本発明によるこの装置の特徴はこのような製本ラインに支持片設置装置１０を設置し、表紙が紙葉ブロックに付着される前に表紙Ｂに支持片Ｂ１を付着するようにしたことに在る。
【００１６】
この支持片設置装置１０は図３及び図４に示すように、表紙用のコンベヤ４の上方に傾斜して設けられた搬送面を有する支持片搬送用の爪付コンベヤ１１と、表紙に支持片を付着するためコンベヤ４上の表紙に糊（接着剤）を付ける糊付装置１２を含み、さらに所望により支持片をテ−プ片として形成するため、巻かれたテ−プを支持するリ−ル１３、及び爪付コンベヤ１１の下側に在ってテ−プ片Ｂ１を支持するスライドテ−ブル１４を含む。
【００１７】
支持片設置装置１０の爪付コンベヤ１１は図５に示すように、無端チェ−ン１５とその適当な位置に取付けられた爪１６からなり、該爪によってスライドテ−ブル１４上のテ−プ片Ｂ１を移動する。爪付コンベヤ１１及び以下に記載する中間のコンベヤ２８はその動力を、コンベヤ４で送られる表紙とのタイミングを合わせるため、チェ−ン１７（図３）を介してコンベヤ４から受ける。爪付コンベヤ１１の駆動スプロケット１８にはコンベヤ４に対する位相を調整するための作動装置が設置される。
【００１８】
スライドテ−ブル１４は図６に示すように、テ−プ片が長手方向に関し真っ直ぐな状態で送られるように、保持手段として好ましくは上方から空気を吹き付け、又はその幅がわん曲した状態で支持される。空気を吹き付ける場合、上方に一連のエアノズル１９が設けられる。２０はそれらのエアノズルの空気管である。またスライドテ−ブル１４の両側にはほぼ直角に上方に突出するガイド２１が設けられ、テ−プ片の両側を案内するようになっている。ガイド２１間の間隔はテ−プ片の幅寸法より僅かに大きい。スライドテ−ブル１４の中心線に沿ってスリット又は凹溝２２が在り、その位置を爪１６がテ−プ片を押しながら移動する。
【００１９】
また、テ−プ片を真っ直に保つ手段として、テ−プ片の幅をわん曲させるため、図７に示すように、スライドテ−ブル１４の横断面を中央が低くなるようにわん曲状に形成し、両側にテ−プ片の側部を受け入れる保持部２３を設けてもよい。この場合、テ−プ片の浮き上がりを防ぐ抑え部２４が設けられる。
【００２０】
テ−プ片を表紙上に糊付けするための糊付装置１２はテ−プ片が表紙の予定位置に付着されるようにコンベヤ４上の表紙の上向きになった裏面の所定位置に糊付けし、好ましくは該裏面に２条又は４条の接着剤を付着する役割を果し、そのため図３に示すように、コンベヤ４の上方に近接して設けられた少なくも一対の接着剤放出用のノズルからなる。この接着剤としては例えばホットメルト糊が用いられる。
【００２１】
この装置の好適な形態では、テ−プＴを所定長さに切断して出来たテ−プ片を表紙に順次に付着するようになっており、そのためリ−ル１３のテ−プは図３に示すように、ピンチロ−ラ２５を通してカッタ−２６に送られる。ピンチロ−ラ２５は、例えばクランク軸を介し一定距離を往復直線運動するラックとそれにかみ合うピニオンを備え、該ピニオンと同軸にピンチロ−ラ２５が設置されることによって所定長さのテ−プが送り出される。２７はピンチロ−ラ２５にかみ合うアイドラである。図３及び図４に示すように、爪付コンベヤ１１とカッタ−２６の間には、爪付コンベヤ１１の搬送面と同一直線上に搬送面を有する中間のコンベヤ２８を備え、該コンベヤ２８は好ましくはベルトコンベヤであり、その上に一連のボ−ル２９が置かれる。
【００２２】
所定長さのテ−プがピンチロ−ラ２５によって送り出されると、適当なセンサ−により又はピンチロ−ラ２５の部材に連動してカッタ−２６が作動され、テ−プが切断される。カッタ−２６で切断された所定長さのテ−プ片はコンベヤ２８に送られ、該コンベヤにより爪付コンベヤ１１に送られる。なお、カッタ−で切断されて出来るテ−プ端末はカッタ−２６とピンチロ−ラ２５との間に在るガイド等によって支持され、次のテ−プの送り出しによってカッタ−２６を通ってコンベヤ２８に導入される。
【００２３】
爪付コンベヤ１１で送り出されるテ−プ片Ｂ１は、その下のコンベヤ４で送られる表紙Ｂに対し前端が一致するように表紙の上に重ねられ、その表紙の上向きの裏面には糊付装置１２により接着剤が付けられているので、重ねられた後にピンチロ−ラ３０の位置を通ることによって完全に付着される。なお、テ−プ片と表紙は前端を一致させる代りに後端を一致させてもよい。なおまた、テ−プ片と表紙の付着はピンチロ−ラ３０に依らず、紙葉ブロックへの表紙の付着の際の加圧により行なってもよい。
【００２４】
表紙とテ−プ片の前端又は後端の一致はコンベヤ４の爪４ａと爪付コンベヤ１１の爪１６とのタイミングを合わせることによって行なうのが好ましく、それにより単純な機構で可能になるが、そのタイミングは他の機構、例えばセンサ−及びコントロ−ラによっても可能である。
【００２５】
従って、この装置には支持片設置装置１０が備えられているので、リ−ル１３から巻き出されるテ−プＴをカッタ−２６で切断し、所定長さに切断されたテ−プ片をコンベヤ２８に導入し、該コンベヤ２８から爪付コンベヤ１１に移載し、爪付コンベヤ１１の爪１６でテ−プ片を移動してコンベヤ４上の表紙の上に前端を揃えてテ−プ片を重ね、ピンチロ−ラ３０を通過することによって押圧して糊付けを完全にし、支持片付き表紙を形成する。このように形成された支持片付き表紙の上に紙葉ブロックＡの背部が付着され、次いでバッキング装置７で成形されるようになっている。
【００２６】
なお、コンベヤ４に表紙を供給する表紙フィ−ダ３としては、水平に積層された表紙を最上部のものから順次に吸引して送り出すエレベ−タ方式のものであってもよいが、好ましくは図３に示すように、多数の表紙を立てた状態で貯え支持する支持台３１を有する表紙フィ−ダ３が用いられる。この場合、表紙フィ−ダ３には支持台３１に支持された表紙の最前部のものから１枚づつ真空で吸引する吸盤３２が備えられ、且つ支持台３１の上部には最前部の表紙Ｂが吸引される際に２枚目以降の表紙を抑える突片などの保持用の部材がある。さらに回転するカム３３に取付けられたくわえ爪が設けられ、吸盤３２で吸引した表紙をコンベヤ４との所定のタイミングで該くわえ爪で挾み、カム３３の回転によりコンベヤ４に供給するように構成されている。
【００２７】
このように表紙を立てた状態で支持する支持台３１を備えた表紙フィ−ダ３を用いることにより、積層状に置かれた表紙の最上部のものから送入するものでは表紙を補充する際には装置全体の作動を一時的に停止しなければならないが、そのような停止をする必要がなく、連続的に作動し得る利点がある。
【００２８】
図８は本発明の他の態様を示すものであって、場合により、前述の支持片設置装置１０の代りに、図８に示すように、同様に表紙の上に支持片を付着するため回転ドラム３５、及び糊付装置１２と同じ役割を果す糊付装置１２’からなる支持片設置装置１０’が用いられる。この場合も表紙が紙葉ブロックに付着される前に、糊付装置１２’により接着剤が付けられた表紙の上向きの裏面に、ドラム３５により支持片が重ねられ、付着される。
【００２９】
このドラム３５は外周面で支持片を吸引して該支持片を介してコンベヤ４上の表紙に接するようになっており、該ドラムは図示の例では円形であるが所望により扇形のドラムであってもよく、且つその外周面の少なくも一部の区域に真空源に連通した適当数の吸引孔３５ａがある。ドラム３５への支持片の供給は適当な装置によって行なわれ、例えば前述の爪付コンベヤ１１によって行なうことも可能である。好ましくは支持片はテ−プ片からなり、その場合、テ−プ片供給装置として、テ−プを貯えるリ−ル１３’と、該リ−ルから巻き出されたテ−プＴを所定長さに切断するカッタ−２６’と、ピンチロ−ラ２５’及び適当数のガイドロ−ラを有するテ−プガイド３６が設置される。
【００３０】
従って図８の装置では、ピンチロ−ラ２５’によってカッタ−２６’を通してリ−ルからテ−プを巻き出し、カッタ−でテ−プを所定長さに切断し、且つテ−プガイド３６を介して、テ−プ片たる支持片をドラム３５に送り、該ドラムはその外周面の吸引孔３５ａで支持片を吸引して支持し、このドラム３５の回転に対しコンベヤ４により予定のタイミングで送られる表紙の糊付けされた裏面に、該ドラムが支持片を介して接触し、該裏面の所定位置に支持片を付着する。このように形成された支持片付き表紙の上に紙葉ブロックの背部が糊付けされ、バッキング装置で形締めされる。
【００３１】
また、図１に示すように、所望によりこの製本ラインには筋入れ装置６が設置され、支持片Ｂ１が付着される前に表紙の背部の両側にそれぞれ１条又は２条の筋を入れ得るように構成され、表紙が比較的厚く又は硬いものである場合に筋入れが行なわれる。図９は筋入れ装置６の一例を示すものであって、この例ではそれぞれ互いに嵌合する２対の筋付ロ−ル３７ａ、３７ｂ、３７ｃ、３７ｄを備えた組立体が２組、同じレベルで設置され、表紙Ａはこの筋入れ装置を通ることによって図１０の（イ）に示すように表紙の背部の両側にそれぞれ一対の筋ａ、ｂが付けられる。なお、図９の３８はゴムロ−ルであり、３９は筋入れ強弱調整用ナットである。
【００３２】
表紙に筋入れが行なわれる場合、図示の例では表紙は筋入れ後に糊付装置１２によって糊付けされ、及び支持片設置装置１０により表紙に支持片Ｂ１が付着される。次いで図１０の（ロ）に示すように、支持片付き表紙の上に紙葉ブロックＡが置かれ、バッキング装置７で成形されることによって図１０の（ハ）に示すように、筋ａ、ｂで容易に折り曲げ可能に仕上げられる。なお、この筋入れは表紙に支持片が付着された後又は紙葉ブロックの背部に表紙が付着された後に行なってもよい。
【００３３】
【発明の効果】
上記のように、本発明装置では紙葉ブロックへの表紙付けラインに支持片設置装置が組み込まれているので、支持片付き表紙をそのライン中で自動的に作ることができる。従って、支持片付き表紙を作成するラインを別個に設ける必要がなく、紙葉ブロックの背部と表紙の間に支持片が介在する本を、支持片を用いないものと同様に高速に製作でき、且つコスト的に有利に製作できる。
【００３４】
紙葉ブロックの背部と表紙の間に介在する支持片を所定長さのテ−プ片で形成する場合、リ−ルに巻かれたテ−プから支持片を作ることができ、支持片付き表紙の作成を好適に自動化することができ、支持片設置装置を製本ラインに組み入れるのが容易になる。
【００３５】
接着剤を糊付けされた表紙に支持片を重ねた直後にピンチロ−ラで挾圧することにより、表紙への支持片の付着を適切に行ない、その直後になされる紙葉ブロックへの取付けを良好に行なうことができる。
【００３６】
支持片設置装置にスライドテ−ブルが設けられ且つ支持片のガイド及び保持手段が備えられることにより、所定長さのテ−プ片からなる支持片を真っ直な状態で送ることができ、表紙の上に支持片を正確に重ね得る利点がある。
【００３７】
また、支持片設置装置を回転ドラムで構成すれば、適当な支持片供給装置と組み合わせることにより、製本ラインで支持片付き表紙を自動的に形成することができ、支持片付き本の製本の高速化を可能にする。この場合、テ−プを備えるリ−ル、テ−プカッタ−、テ−プガイドで支持片供給装置を構成すれば、テ−プ片からなる支持片を好適に供給できる。
【００３８】
筋入れ装置の設置により、表紙に筋入れを行なうことができ、表紙が比較的厚く又は固い紙質のものである場合に、本の開きを容易にする。
【図面の簡単な説明】
【図１】本発明による本の紙葉ブロックへの表紙付け装置の一例を全体的に示す概略図である。
【図２】本発明装置の工程の一部を示す斜視図である。
【図３】本発明装置で用いられる支持片設置装置の一例を示す側面図である。
【図４】図３に示す支持片設置装置の平面図である。
【図５】図３に示す支持片設置装置の要部を示す側面図である。
【図６】図５の線Ｃ−Ｃ断面図である。
【図７】支持片設置装置の他の例を示す図６に類似の断面図である。
【図８】本発明装置の他の態様の要部を概略的に示す側面図である。
【図９】本発明装置で用いられる筋入れ装置の一例を示す概略的な端面図である。
【図１０】図１０の（イ）は筋入れ後の表紙の平面図、（ロ）は筋入れ後の表紙に紙葉ブロックを設置した状態を示す側面図、及び（ハ）は筋入れを行なった表紙を備えた製本の開き状態を示す側面図である。
【符号の説明】
１：搬送装置、２：糊付装置、４：表紙用のコンベヤ、６：筋入れ装置、１０、１０’：支持片設置装置、１１：爪付コンベヤ、１２：糊付装置、１４：スライドテ−ブル、３０：ピンチロ−ラ、３５：回転ドラム、３６：テ−プガイド、Ａ：紙葉ブロック、Ｂ：表紙、Ｂ１：支持片（テ−プ片）
【図１】
0003573900.tif 000002
【図２】
0003573900.tif 000003
【図３】
0003573900.tif 000004
【図４】
0003573900.tif 000005
【図５】
0003573900.tif 000006
【図６】
0003573900.tif 000007
【図７】
0003573900.tif 000008
【図８】
0003573900.tif 000009
【図９】
0003573900.tif 000010
【図１０】
0003573900.tif 000011